(57)【特許請求の範囲】
【請求項１】
一端部に容器開口部が形成され錠剤を収容する容器本体と、上記容器開口部に嵌合して取り付けられる中栓と、この中栓の上端開口を塞いだ透明なカバー部材とを備え、
上記中栓には、上記容器本体の上記容器開口部を閉鎖する底板部と、この底板部から上記容器本体の外側へ突出して設けられた円筒状の側壁部が設けられ、
上記中栓と上記カバー部材とにより計量室が形成され、
上記底板部には、上記中栓の上記側壁部に接した位置に上記計量室と上記容器本体内とを連通した計量室入口が設けられているとともに、この計量室入口に接して上記側壁部に延び上記計量室の内側を横断して区切る板状の計量隔壁が設けられ、
上記カバー部材は、円筒形に形成され上記中栓に対して中心軸回りに回転可能に取り付けられ、上記カバー部材には、上記中栓の上記側壁部の一部に接して上記錠剤の取出口が設けられているとともに、上記取出口から所定角度離れて上記中栓の上記底板部に向かって突出し上記計量室入口を塞ぐ飛出防止部が設けられ、
上記カバー部材の上記飛出防止部が上記計量室入口に一致しないときは、上記計量室入口が上記容器本体内と連通して計量状態であり、上記錠剤が上記計量室入口を通過して上記計量室に取り込まれ、このとき上記取出口は上記計量隔壁を挟んで上記計量室入口の反対側に位置し、
上記カバー部材の上記飛出防止部が上記計量室入口に一致するときは、上記計量室入口が閉状態となり、上記取出口は上記計量室に連通して上記計量室内の錠剤を取り出し可能な状態となることを特徴とする錠剤計量容器。
【請求項２】
一端部に容器開口部が形成され錠剤を収容する容器本体と、上記容器開口部に嵌合して取り付けられる中栓と、この中栓の上端開口を塞いだ透明なカバー部材とを備え、
上記中栓には、上記容器本体の上記容器開口部を閉鎖する底板部と、この底板部から上記容器本体の外側へ突出して設けられた円筒状の側壁部が設けられ、
上記中栓と上記カバー部材とにより計量室が形成され、
上記計量室の上記側壁部には上記錠剤の取出口が設けられ、
上記底板部には、上記中栓の上記側壁部に接した位置に上記計量室と上記容器本体内とを連通した計量室入口が設けられているとともに、この計量室入口に接して湾曲した板状の規制部が立設され、さらに、上記取出口の上記規制部側から上記規制部の端に近接して延びて上記計量室を所定間隔の通路を開けて区切る板状の取出し案内部が設けられていることを特徴とする錠剤計量容器。
【請求項３】
一端部に容器開口部が形成され錠剤を収容する容器本体と、上記容器開口部に嵌合して取り付けられる中栓と、この中栓の上端開口を塞いだ透明なカバー部材とを備え、
上記中栓には、上記容器本体の上記容器開口部を閉鎖する底板部と、この底板部から上記容器本体の外側へ突出して設けられた円筒状の側壁部が設けられ、
上記中栓と上記カバー部材とにより計量室が形成され、
上記底板部には、上記中栓の上記側壁部に接した位置に上記計量室と上記容器本体内とを連通した計量室入口が設けられ、
上記カバー部材は、上記中栓の上端開口を塞ぐとともに、上記カバー部材表面が露出して、上記中栓の上記側壁部に位置した一対の揺動軸により回転可能に取り付けられ、
上記一対の揺動軸は、上記計量室入口を挟んだ両側の上記側壁部に位置し、上記揺動軸により上記カバー部材が揺動して上記中栓の上端開口を開閉可能に設けられ、
上記カバー部材は、上記カバー部材を揺動して上記中栓の上端開口を閉じた状態で上記中栓に係止される係止部を有し、上記中栓には、上記係止部が係止される被係止部が設けられ、
上記一対の揺動軸を挟んで上記カバー部材の一方の側を押圧して上記中栓側に揺動させると、上記係止部が上記被係止部に係止されて上記カバー部材の位置を規制し、上記中栓の上端開口を塞いだ状態とするとともに、上記計量室入口が開口して上記錠剤が上記計量室入口を通過し上記計量室に取り込み可能となり、
上記一対の揺動軸を挟んで上記カバー部材の他方の側を押圧して上記中栓内方向へ揺動させると、上記カバー部材の一方の側が上記中栓の上端開口から外側に開いた状態となり、上記カバー部材と上記中栓の上端開口との間に隙間が生じて上記錠剤の取出口が形成されるとともに、上記カバー部材の他方の側が上記計量室入口に位置して、上記計量室入口の隙間を上記錠剤より小さいものにして上記錠剤の通過を阻止することを特徴とする錠剤計量容器。
【発明の詳細な説明】
【技術分野】
【０００１】
この発明は、錠剤等を収容し、所望の数を計量して取り出すことができる錠剤計量容器に関する。
【背景技術】
【０００２】
従来の錠剤計量容器は、予め錠剤の形状、数量に合った計量室を設け、容器を倒立することにより計量室に所定の錠剤を入れて計量するというものであった。例えば、特許文献１、２に開示されている容器は、錠剤を収容する容器本体と、この容器本体の開口部に固定され錠剤を外部へ排出する排出口が形成された固定栓と、この固定栓上面に回動可能に取り付けられた計量開閉栓が設けられている。計量開閉栓には、固定栓の排出口に連通する計量透孔が設けられ、計量透孔の開口部には、開閉蓋が取り付けられている。そして、計量開閉栓を、固定栓に対して閉位置に回動させた場合には、この固定栓の排出口を閉状態にし、開き位置に回動させた場合には、固定栓の排出口に計量透孔が連通する。
【０００３】
これらの文献の容器の使用方法は、計量開閉栓を開にして開口部を下向きに位置させると計量透孔内に錠剤が入り込む。この状態で計量開閉栓を閉状態にすると計量透孔内に錠剤が閉じ込められた状態となり、開口部を上向きにし、開閉蓋を開放して計量透孔内の錠剤を取り出す。
【０００４】
また、特許文献３〜５に示す錠剤容器は、容器本体口頚部外周に嵌合させた周壁上端縁より内方へ、口頚部上端開口の前部を被覆する計量皿を延出してなるキャップ本体と、本体上面を開閉可能に閉鎖する蓋体と、口頚部上端開口の後部付近に揺動可能に取り付けられた揺動蓋部が設けられている。揺動蓋部は、蓋体に、連結棒等で連携され、蓋体を開く際に、揺動蓋板は口頚部上端開口を錠剤の通過が不能な状態に閉鎖する。これらの特許文献の錠剤容器の使用方法は、蓋体を閉じた状態で容器を倒立させた後、成立させると、容器本体内の錠剤が揺動蓋板と計量皿との隙間から計量皿に量り取られる。次いで、蓋体を開いて容器を傾け、計量された錠剤を取り出す、というものである。
【特許文献１】特開平６−３２９１８１号公報
【特許文献２】特開平８−１０４３７６号公報
【特許文献３】特開平１１−１９３０５０号公報
【特許文献４】特開平１１−２０８７０２号公報
【特許文献５】特開平１１−２０８７０３号公報
【発明の開示】
【発明が解決しようとする課題】
【０００５】
しかしながら、実際に容器を使用する場合、錠剤の形状や大きさは多種多様であり、その剤形に応じた容器が必要となるばかりでなく、同一の錠剤であっても使用する人の使用する年齢や症状などにより使用する量がことなるものが通常であるため、きわめて汎用性の乏しいものであった。また、計量室の錠剤を導入する部分は、容器の径に対して略錠剤径まで狭く絞り込まれるため、容器を倒立させて計量するとき、導入部に錠剤がブリッジ状となって詰まり、錠剤が計量室に導入されず、計量できないという問題があった。
【０００６】
また、上記の各特許文献の計量容器は、計量をする時と取り出すときと、二回容器を倒立させるため、操作が面倒であった。
【０００７】
この発明は、上記課題に鑑みてなされたものであり、簡単な構造で多種多様な形状、大きさの錠剤に対して、簡単な操作により任意数量を手に触れることなく容易且つ正確に計量し取り出すことができる錠剤計量容器を提供することを目的とする。
【課題を解決するための手段】
【０００８】
本発明は、一端部に容器開口部が形成され錠剤を収容する容器本体と、上記容器開口部に嵌合して取り付けられる中栓と、この中栓の上端開口を塞いだ透明なカバー部材とを備え、上記中栓には、上記容器本体の上記容器開口部を閉鎖する底板部と、この底板部から上記容器本体の外側へ突出して設けられた円筒状の側壁部が設けられ、上記中栓と上記カバー部材とにより計量室が形成され、上記底板部には、上記中栓の上記側壁部に接した位置に上記計量室と上記容器本体内とを連通した計量室入口が設けられているとともに、この計量室入口に接して上記隔壁部に延び上記計量室の内側を横断して区切る板状の計量隔壁が設けられ、上記カバー部材は、円筒形に形成され上記中栓に対して中心軸回りに回転可能に取り付けられ、上記カバー部材には、上記中栓の上記側壁部の一部に接して上記錠剤の取出口が設けられているとともに、上記取出口から所定角度離れて上記中栓の上記底板部に向かって突出し上記計量室入口を塞ぐ飛出防止部が設けられ、上記カバー部材の上記飛出防止部が上記計量室入口に一致しないときは、上記計量室入口が上記容器本体内と連通して計量状態であり、上記錠剤が上記計量室入口を通過して上記計量室に取り込まれ、このとき上記取出口は上記計量隔壁を挟んで上記計量室入口の反対側に位置し、上記カバー部材の上記飛出防止部が上記計量室入口に一致するときは、上記計量室入口が閉状態となり、上記取出口は上記計量室に連通して上記計量室内の錠剤を取り出し可能な状態となる錠剤計量容器である。
【０００９】
またこの発明は、一端部に容器開口部が形成され錠剤を収容する容器本体と、上記容器開口部に嵌合して取り付けられる中栓と、この中栓の上端開口を塞いだ透明なカバー部材とを備え、上記中栓には、上記容器本体の上記容器開口部を閉鎖する底板部と、この底板部から上記容器本体の外側へ突出して設けられた円筒状の側壁部が設けられ、上記中栓と上記カバー部材とにより計量室が形成され、上記計量室の上記側壁部には上記錠剤の取出口が設けられ、上記底板部には、上記中栓の上記側壁部に接した位置に上記計量室と上記容器本体内とを連通した計量室入口が設けられているとともに、この計量室入口に接して湾曲した板状の規制部が立設され、さらに、上記取出口の上記規制部側から上記規制部の端に近接して延びて上記計量室を所定間隔の通路を開けて区切る板状の取出し案内部が設けられている錠剤計量容器である。
【００１０】
またこの発明は、一端部に容器開口部が形成され錠剤を収容する容器本体と、上記容器開口部に嵌合して取り付けられる中栓と、この中栓の上端開口を塞いだ透明なカバー部材とを備え、上記中栓には、上記容器本体の上記容器開口部を閉鎖する底板部と、この底板部から上記容器本体の外側へ突出して設けられた円筒状の側壁部が設けられ、上記中栓と上記カバー部材とにより計量室が形成され、上記底板部には、上記中栓の上記側壁部に接した位置に上記計量室と上記容器本体内とを連通した計量室入口が設けられ、上記カバー部材は、上記中栓の上端開口を塞ぐとともに、上記カバー部材表面が露出して、上記中栓の上記側壁部に位置した一対の揺動軸により回転可能に取り付けられ、上記一対の揺動軸は、上記計量室入口を挟んだ両側の上記側壁部に位置し、上記揺動軸により上記カバー部材が揺動して上記中栓の上端開口を開閉可能に設けられ、上記カバー部材は、上記カバー部材を揺動して上記中栓の上端開口を閉じた状態で上記中栓に係止される係止部を有し、上記中栓には、上記係止部が係止される被係止部が設けられ、上記一対の揺動軸を挟んで上記カバー部材の一方の側を押圧して上記中栓側に揺動させると、上記係止部が上記被係止部に係止されて上記カバー部材の位置を規制し、上記中栓の上端開口を塞いだ状態とするとともに、上記計量室入口が開口して上記錠剤が上記計量室入口を通過し上記計量室に取り込み可能となり、上記一対の揺動軸を挟んで上記カバー部材の他方の側を押圧して上記中栓内方向へ揺動させると、上記カバー部材の一方の側が上記中栓の上端開口から外側に開いた状態となり、上記カバー部材と上記中栓の上端開口との間に隙間が生じて上記錠剤の取出口が形成されるとともに、上記カバー部材の他方の側が上記計量室入口に位置して、上記計量室入口の隙間を上記錠剤より小さいものにして上記錠剤の通過を阻止する錠剤計量容器である。
【発明の効果】
【００１１】
この発明の錠剤計量容器は、多種多様な形状、大きさの錠剤に対して、簡単な操作により、任意数量を手に触れることなく正確且つ容易に計量し取り出すことができる。しかも、錠剤を見ながら計量可能であり、任意の量の計量が容易に可能となる。
【発明を実施するための最良の形態】
【００１２】
以下、この発明の実施形態について図面に基づいて説明する。図１〜図３は、この発明の第一実施形態を示したものであり、この実施形態の錠剤計量容器１０は、有底の容器本体１２を備え、容器本体１２の上端部には、円筒状の容器開口部１４が一体に形成されている。容器開口部１４の外周面には、雄ネジ１６が形成されている。
【００１３】
容器開口部１４の先端部１４ａには、中栓１８が取り付けられている。中栓１８には、容器開口部１４の先端部１４ａに当接して、容器開口部１４を閉鎖する円板状の底板部２０が一体に設けられている。底板部２０の、容器本体１２の内側に位置する下側面２０ａには、容器本体１２の容器開口部１４の内側に嵌合されて密着する円筒状の差込部２２が設けられている。底板部２０の上側面２０ｂには、差込部２２よりも少し径が小さい円筒状の側壁部２４が外側に突出して設けられている。側壁部２４の外周面には、底板部２０に隣接して、後述するカバー部材３０の突起３６が移動可能に嵌合される溝部２５が、一周して形成されている。底板部２０の中心から任意の半径方向の位置には、円形の透孔である計量室入口２６が形成されている。計量室入口２６は、側壁部２４に接した位置に形成されている。計量室入口２６は、収容される錠剤４１に比して充分大きく形成され、例えば、錠剤の大きさの１．５倍〜５倍である。そして、底板部２０には、側壁部２４の内側を横断して板状の計量隔壁２８が、計量室入口２６に接して設けられ、側壁部２４の内側を区切っている。
【００１４】
中栓１８の側壁部２４には、透明な樹脂製のカバー部材３０が取り付けられている。カバー部材３０は、側壁部２４の外側を覆う円筒状の側周面部３２と、側周面部３２の上端部３２ａの開口を閉鎖する上面部３４とから成る。この中栓１８の底板部２０と側壁部２４と、カバー部材３０の上面部３４で囲まれた空間を、計量室３５とする。側周面部３２の、上面部３４と反対側の端部３２ｂの内周面には、中栓１８の溝部２５に、わずかなゆとりを有して差し込まれる突起３６が一周して形成されている。上面部３４には、側周面部３２の一部に接して円形の透孔である取出口３８が形成されている。取出口３８と、上面部３４の中心を挟んで反対側には、中栓１８の底板部２０に対面する下端面３４aに、中栓１８の底板部２０側に突出する円筒状の飛出防止部４０が設けられている。飛出防止部４０の先端は、中栓１８の底板部２０近くに達している。なお、中栓１８の側壁部２４に、飛出防止部４０に図１の状態で当接し、カバー部材３０の回転を止める係止部が形成されていても良い。容器本体１２の容器開口部１４には、図示しないキャップが、中栓１８とカバー部材３０を覆って着脱可能に螺合されて取り付けられる。
【００１５】
次に、この錠剤計量容器１０の使用方法について説明する。まず、図１に示すようにカバー部材３０の飛出防止部４０が中栓１８の計量室入口２６に一致せず、計量室入口２６が開位置にある計量状態で、容器１２を傾けて軽く振る。このとき取出口３８は計量隔壁２８を挟んで計量室入口２６の反対側に位置し、錠剤４１が飛び出すことはない。容器１２を振ることにより、容器１２内側面に沿って錠剤４１が中栓１８側に移動し、中栓１８の計量室入口２６を通過して計量室３５に取り込まれる。計量室３５に導かれた錠剤４１は、計量室入口２６から計量隔壁２８に沿って整列される。このとき、カバー部材３０は透明であるため、容器本体１２を振りながら必要量の錠剤４１が計量室３５に供給されたことを確認することができる。ここで、計量室３５内に余剰な錠剤４１が入り込んだ場合は、計量室入口２６を若干低めにして振ることにより、錠剤４１を容器本体１２内に戻すことができる。次に、カバー部材３０を、中栓１８に対して軸回りに回転させ、図２に示すように飛出防止部４０が中栓１８の計量室入口２６に一致して閉状態となり、取出口３８は、計量隔壁２８に並んだ錠剤４１と対面し、取り出し可能な状態となる。そして、容器１２を軽く振ることにより、取出口３８から錠剤４１を振り出す。
【００１６】
この実施形態の錠剤計量容器１０によれば、カバー部材３０の計量室入口２６と錠剤４１の取出口３８が逆方向であり、容器本体１２を持ち替えることなく、計量後にそのまま錠剤４１を取り出すことができる。そして、計量のときに、錠剤４１に直接手を触れることなく必要な量を取り出せるので、錠剤４１を出しすぎて容器本体１２内に戻すようなことがない。このため、容器本体１２内が汚染されたり、錠剤４１の吸湿による変質などの心配がなく、安心して使用することができる。また、錠剤４１の計量、取り出しの際に不用意にこぼしたりすることがなくなり、誰でも簡単に必要量の内容物を取り出すことができる。カバー部材３０は、中栓１８との気密性や嵌合力を必要としないので、小さな力で簡単に開閉操作することができ、計量後の蓋開閉時に勢い余って錠剤４１をこぼしたりするような心配がない。また、透明なカバー部材３０により目で必要量を確認しながら計量できるので、過不足のない確実な計量が可能である。
【００１７】
さらに、中栓１８の計量室入口２６は、中栓１８の側壁部２４に沿って設けられ、錠剤４１に比して充分に大きく形成され、また計量室入口２６の通過距離は底板部２０の厚みだけで短いため、容器本体１２を振ることにより振動を加えるだけで錠剤４１は滞りなく順序良く計量室３５へ導かれる。さらに、従来のように一定の形状・数量の錠剤４１を計量するのではなく、多種多様な形状、大きさの錠剤４１に対して、任意数量を簡単に取り出すことができ、汎用性に優れている。計量時に容器本体１２を倒立させ、そのままの状態でカバー部材３０を回すだけで錠剤４１を取り出すことができ、作業が容易である。また、容器本体１２の容器開口部１４には、中栓１８とカバー部材３０を覆ってキャップが取り付けられるため、容器開口部１４が大きい広口びんであっても、優れた気密性を得ることができる。既存の容器本体１２やキャップをそのまま使用して、中栓１８とカバー部材３０だけを追加することができるので、イニシャルコストが低く抑えることができる。
【００１８】
次に、この発明の第二実施形態について、図４、図５を基にして説明する。ここで、上記実施形態と同様の部材は同様の符号を付して説明を省略する。この実施形態の錠剤計量容器４２は、容器本体１２の容器開口部１４に中栓４４が取り付けられている。中栓４４の側壁部４６には、側壁部４６の先端４６aに連続するＵ字形の透孔である取出口４８が形成されている。中栓４４の底板部４９には、取出口４８から遠い位置に、計量室入口５０が側壁部４６に接して形成されている。計量室入口５０の、底板部４９の放射方向の一部に隣接して、計量室入口５０に沿って湾曲された板状の規制部５２が立設されている。底板部４９の、取出口４８の規制部５２側端部近傍から規制部５２の端に近接して延びて計量室を所定間隔の通路を開けて区切る取出し案内部５６が設けられている。取出し案内部５６は、板状であり、取出口４８の挿通方向に対してほぼ平行に位置している。
【００１９】
中栓４４の側壁部４６の先端４６aには、透明な樹脂で作られたカバー部材である上面部４７が設けられている。そして、底部４９の中心には、上面部４７を取り付ける円筒部５４が設けられ、上面部４７の中心には円筒部５４内側に嵌合される係合突起が設けられ、互いに係止されている。
【００２０】
錠剤計量容器４２の使用方法は、図４のように容器本体１２を傾けて、錠剤４１を計量室入口５０から計量室３５に取り込むと、錠剤４１は側壁部４６に沿って整列する。この後、容器本体１２を図５のように軸周りに回転させ、取出口４８を下にして、錠剤４１を取り出す。
【００２１】
この実施形態の錠剤計量容器４２によれば、容器本体１２を傾けて軸回りに回すだけで、錠剤４１の計量と取り出しを行うことができ、簡単な構造で操作性も良い。
【００２２】
次に、この発明の第三実施形態について図６、図７に基づいて説明する。この実施形態の錠剤計量容器６０は、容器本体１２に中栓６２が取り付けられている。中栓６２の底板部６４には、側壁部６６に沿う長丸の透孔である計量室入口６８が設けられている。中栓６２の側壁部６６の先端６６ａには、透明な樹脂で作られた円板状のカバー部材７０が、直径方向に位置する一対の揺動軸７３で回転可能に取り付けられている。一対の揺動軸７３は、計量室入口６８を挟んで側壁６６の両側に位置している。そして、カバー部材７０の周縁部は、カバー部７０を閉じた状態で中栓６２の先端６６ａに係止される係止部となり、中栓６２の先端６６ａが、カバー部材７０の係止部が係止される被係止部となる。側壁部６６の、計量室入口６８に隣接する部分は切り欠かれており、この切り欠き部６７の部分に対面するカバー部材７０の側縁部には、カバー部材７０に対して直角で側壁部６６の切り欠き部６７に嵌合する飛出防止部７２が一体に形成されている。
【００２３】
この実施形態の錠剤計量容器６０の使用方法は、図６のように容器本体１２を傾けて、錠剤４１を計量室入口６８から計量室３５に取り込む。そして、カバー部材７０を、揺動軸７３を中心として回転させる。これにより、カバー部材７０の、飛出防止部７２と反対側の端部が中栓６２の外側に開き、隙間が生じて錠剤４１の取出口が形成される。このとき、飛出し防止部７２が計量室入口６８に差し込まれ、容器本体１２の中の錠剤４１が計量室３５に出ることを防ぐ。
【００２４】
この実施形態の錠剤計量容器６０によれば、簡単な構造であり、計量室入口６８と取出口の開閉操作は、カバー部材７０単品のトグル動作で行われるため、複数部品の摺動や弾性変形、着脱等の動作を必要とせず、構造が簡単で且つ確実な動作が可能である。カバー部材７０を揺動させる簡単な操作で、錠剤４１を取り出すことができる。
【００２５】
次に、この発明の第四実施形態について図８、図９に基づいて説明する。この実施形態の錠剤計量容器７４は、容器本体１２の容器開口部１４内に中栓７６が嵌合して取り付けられている。中栓７６の底板部７８には、側壁部８０に沿う長丸の透孔である計量室入口８２が設けられている。側壁部８０の端部には、透明な樹脂で作られた円板状のカバー部材８４が、直径方向に位置する一対の揺動軸８６で回転可能に取り付けられている。カバー部材８４の揺動軸８６には、カバー部材８４を中栓７６に閉じた状態で係止される係止部８８が一体に設けられている。そして中栓７６の底板部７８には、係止部８８が係止される被係止部９０が設けられている。中栓７６の側壁部８０の計量室入口８２と反対側に、カバー部材８４を閉めた状態で位置決めするストッパ８７が設けられている。
【００２６】
この実施形態の錠剤計量容器７４の使用方法は、図８のように容器本体１２を傾けて、錠剤４１を計量室入口８２から計量室３５に取りこむ。そしてカバー部材８４を回転させ、計量室入口８２と反対側の端部が中栓７６外側に開き、ここから錠剤４１を出す。
【００２７】
この実施形態の錠剤計量容器７４によれば、上記実施形態と同様の効果に加えて、係止部８８と被係止部９０により、カバー部材８４を中栓７６の側壁部８０に閉じた状態及び開いた状態で、確実に係止することができる。
【００２８】
次にこの発明の第五実施形態について図１０、図１１に基づいて説明する。この実施形態の錠剤計量装置９２は、容器本体１２に中栓９４が取り付けられている。中栓９４の底板部９６は中栓９４の半分である半円形に設けられ、底板部９６以外は半円形の開口部である計量室入口９８となっている。底板部９６の直線の端縁部の半分には、板状の仕切部１００が、底板部９６に対してほぼ直角に立設されている。中栓９４の側壁部１０１の端部には、透明なカバー部材１０２が固定されている。そして、カバー部材１０２の、仕切部１００に隣接する部分と、仕切部１００に対して約９０度に位置する直線の間に、扇形の透孔である取出口１０４が設けられている。
【００２９】
錠剤計量容器９２の使用方法は、図１０のように容器本体１２を傾けて、錠剤４１を計量室入口９８から計量室３５に取りこむ。次に容器本体１２を図１１のように回転させ、取出口１０４を下にして、錠剤４１を取り出す。
【００３０】
この実施形態の錠剤計量容器９２によれば、簡単な構造であり、容器本体１２を回転させる簡単な操作で、錠剤４１を取り出すことができる。
【００３１】
なお、この発明の錠剤計量容器は、上記実施形態に限定されるものではなく、各部材の形状や素材など、自由に変更可能である。例えば、揺動自在のカバー部材は側壁部に軸支されている他、底板部の側壁部近傍に突設された軸受部に軸支されていても良い。また内容物は錠剤に限定されず、丸薬やカプセルあるいは粒状のものであっても使用することができる。
【図面の簡単な説明】
【００３２】
【図１】この発明の第一実施形態の錠剤計量容器の錠剤を計量する状態を示す斜視図である。
【図２】この実施形態の錠剤計量容器の錠剤を取り出す状態を示す斜視図である。
【図３】この実施形態の錠剤計量容器の縦断面図である。
【図４】この発明の第二実施形態の錠剤計量容器の錠剤を計量する状態を示す斜視図である。
【図５】この実施形態の錠剤計量容器の錠剤を取り出す状態を示す斜視図である。
【図６】この発明の第三実施形態の錠剤計量容器の錠剤を計量する状態を示す斜視図である。
【図７】この実施形態の錠剤計量容器の錠剤を取り出す状態を示す斜視図である。
【図８】この発明の第四実施形態の錠剤計量容器の錠剤を計量する状態を示す斜視図である。
【図９】この実施形態の錠剤計量容器の錠剤を取り出す状態を示す斜視図である。
【図１０】この発明の第二実施形態の錠剤計量容器の錠剤を計量する状態を示す斜視図である。
【図１１】この実施形態の錠剤計量容器の錠剤を取り出す状態を示す斜視図である。
【符号の説明】
【００３３】
１０  錠剤計量容器
１２  容器本体
１４  容器開口部
１６  雄ネジ
１８  中栓
２０  底板部
２２  差込部
２４  側壁部
２６  計量室入口
２８  計量隔壁
３０  カバー部材
３２  側周面部
３４  上面部
３５  計量室
３６  突起
３８  取出口
４０  飛出防止部
【図１】
0004653392.tif 000002
【図２】
0004653392.tif 000003
【図３】
0004653392.tif 000004
【図４】
0004653392.tif 000005
【図５】
0004653392.tif 000006
【図６】
0004653392.tif 000007
【図７】
0004653392.tif 000008
【図８】
0004653392.tif 000009
【図９】
0004653392.tif 000010
【図１０】
0004653392.tif 000011
【図１１】
0004653392.tif 000012